(57)【特許請求の範囲】
【請求項１】
薄い第１帳票部及び厚い第２帳票部が幅方向に並べられた単位帳票が供給方向に連接されている連続一体型帳票を、単位帳票ごとに折り重ねて折りブロックとして収納する連続一体型帳票収納箱であって、
前記折りブロックを前記供給方向に凸状とする凸状形成部材と、
開閉自在な開閉壁面と
を備え、
前記開閉壁面は、前記幅方向において前記凸状形成部材とは反対側の端部に設けられ、
前記凸状形成部材は、前記折りブロックの前記第１帳票部側の最下面を支持する位置に設けられ、前記開閉壁面側に設けられた第１凸部と、前記開閉壁面の対向面側に設けられた第２凸部とを有し、前記第１凸部は、前記第２凸部よりも高い
ことを特徴とする連続一体型帳票収納箱。
【請求項２】
請求項１に記載の連続一体型帳票収納箱において、
前記凸状形成部材の頂部は、前記幅方向に対して直交する方向に延在している
ことを特徴とする連続一体型帳票収納箱。
【請求項３】
請求項１又は請求項２に記載の連続一体型帳票収納箱において、
前記開閉壁面は、その開閉壁面の位置を適正化するガイド部を備える
ことを特徴とする連続一体型帳票収納箱。
【請求項４】
請求項１から請求項３までのいずれか１項に記載の連続一体型帳票収納箱を使用する連続一体型帳票収納箱の使用方法であって、
前記第２帳票部を前記開閉壁面側にして前記連続一体型帳票を収納する
ことを特徴とする連続一体型帳票収納箱の使用方法。
【請求項５】
薄い第１帳票部及び厚い第２帳票部が幅方向に並べられた単位帳票が供給方向に連接されている連続一体型帳票を、単位帳票ごとに折り重ねて折りブロックとし、その折りブロックを前記供給方向に凸状とする凸状形成部材に、前記折りブロックの前記第１帳票部側の最下面が支持されるように載置して収納する連続一体型帳票収納箱を帳票処理装置の給紙部にセットした後、その連続一体型帳票収納箱の前記幅方向における第２帳票部側の壁面を除去する連続一体型帳票の帳票処理装置へのセット方法。
【発明の詳細な説明】
【０００１】
【発明の属する技術分野】
本発明は、厚み差のある帳票部が幅方向に並べられて一体化され、供給方向に連続帳票とされている連続一体型帳票を、単位帳票ごとに折り重ねて折りブロックとして収納する連続一体型帳票収納箱及びその使用方法並びに連続一体型帳票の帳票処理装置へのセット方法に関するものである。
【０００２】
【従来の技術】
図４は、一般的な連続一体型帳票の帳票処理装置を示す図である。
「商品明細書」や「ピッキングリスト」と呼ばれる箱詰め作業指示用の薄い帳票３１と、箱詰め作業後に顧客に届けるための「１ｐｔ配送伝票」等の厚い帳票３２とを並べて一体化した連続一体型帳票３０が、通信販売会社などで急速に普及している。このような連続一体型帳票３０は、形態に起因する作業上の利便性はもちろん、資材を多く使わなくても済む合理性、環境負荷の軽減性等で、優れているからである。
連続一体型帳票３０は、単位帳票ごとに折り重ねられたブロックとして収納箱に入れられて輸送される。そして、図４に示すように、帳票処理装置（プリンタ）４０の給紙部４１にセットされ、印字ドラム４２、定着ローラ４３で印字・定着されて、排紙部４４から排出される。
【０００３】
【発明が解決しようとする課題】
図５は、連続一体型帳票のフィード時の問題点を示す図、図６は、その対策を示す図である。
連続一体型帳票３０の「商品明細書」等の薄い帳票３１は、一般的には、１枚のノンインパクトプリンタ（以下、「ＮＩＰ」という。）用紙からなるのに対して、「１ｐｔ配送伝票」等の厚い帳票３２は、ＮＩＰ用紙にタック紙を貼り合わせたもの、又は、ＮＩＰ用紙の裏面に、剥離層、樹脂層、粘着剤層を形成して剥離紙を貼り合せたものであり、両帳票３１，３２に大きな厚みの差がある。
このため、連続一体型帳票３０が給紙部４１にセットされたとき、折り数が少ない場合には、何ら問題なくフィードすることができる（図５（Ｃ））。しかし、折り数が多いと、図５（Ａ）に示すように、薄い帳票３１と厚い帳票３２との高低差が大きくなり、図５（Ｂ）の矢印Ｙで示すように、フィード時に、単位帳票を連接する折りミシン目３３が割れてしまったり、重送が発生したりするなどの問題があった。
【０００４】
その対策として、本件出願人は、図６に示すように、スペーサ２０で連続一体型帳票３０の折りブロック３０Ｂの中央付近を持ち上げる方法を提案している。この方法によれば、残量にかかわらず、折りミシン目３３で割れを生ずることなく、連続一体型帳票３０をフィードすることができる（図６（Ｂ）（Ｃ））。
【０００５】
しかし、前述した方法では、折りブロック３０Ｂの中央付近が持ち上げられているので、連続一体型帳票３０を輸送中に、片側、特に、厚みがあって重量のある帳票３２側にズレ落ちてしまうことが多い。このような状態で、連続一体型帳票３０をフィードしようとしても、連続一体型帳票３０は、連続一体型帳票収納箱１０の内壁に当たって折り曲がっており、内壁との摩擦が大きいため、スムーズなフィードができない。
【０００６】
また、折りブロック３０Ｂの中央付近を持ち上げている状態でフィードすると、連続一体型帳票３０は、山折り／谷折りの状態によって、左右にスイングしてしまう（図７）。このため、収納箱１０のサイズに余裕がない場合や、前述したように片側に寄ってしまった場合は、フィード時に、用紙端部が、収納箱１０の内壁に擦れる。
【０００７】
このように、帳票処理装置の搬送構造や搬送速度、媒体の形態、箱入目等の条件によっては、収納箱の内壁に連続一体型帳票の端部が擦れ、その擦れ方によってはミシン目でのシワを誘発し、過度に悪い状況においては断紙が発生し、処理業務が停止してしまう。
このような場合、収納箱から取り出して処理すればよいが、連続一体型帳票３０の１箱あたりの重量は、決して軽くはないので、作業に多大な負荷がかかることから敬遠されている。
【０００８】
本発明の課題は、収納してある連続一体型帳票を、断紙や重送等を生じさせることなく、スムーズにフィードすることができ、作業しやすい連続一体型帳票収納箱及びその使用方法並びに連続一体型帳票の帳票処理装置へのセット方法を提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、薄い第１帳票部（３１）及び厚い第２帳票部（３２）が幅方向に並べられた単位帳票が供給方向に連接されている連続一体型帳票（３０）を、単位帳票ごとに折り重ねて折りブロック（３０Ｂ）として収納する連続一体型帳票収納箱であって、前記折りブロック（３０Ｂ）を前記供給方向に凸状とする凸状形成部材（２０）と、開閉自在な開閉壁面（１１）とを備え、前記開閉壁面は、前記幅方向において前記凸状形成部材とは反対側の端部に設けられ、前記凸状形成部材は、前記折りブロックの前記第１帳票部側の最下面を支持する位置に設けられ、前記開閉壁面側に設けられた第１凸部（２０ａ）と、前記開閉壁面の対向面側に設けられた第２凸部（２０ｂ）とを有し、前記第１凸部は、前記第２凸部よりも高いことを特徴とする連続一体型帳票収納箱である。
【００１０】
請求項２の発明は、請求項１に記載の連続一体型帳票収納箱において、前記凸状形成部材（２０）の頂部は、前記幅方向に対して直交する方向に延在していることを特徴とする連続一体型帳票収納箱である。
【００１２】
請求項３の発明は、請求項１又は請求項２に記載の連続一体型帳票収納箱において、前記開閉壁面（１１）は、その開閉壁面（１１）の位置を適正化するガイド部（１１ｂ）を備えることを特徴とする連続一体型帳票収納箱である。
【００１３】
請求項４の発明は、請求項１から請求項３までのいずれか１項に記載の連続一体型帳票収納箱を使用する連続一体型帳票収納箱の使用方法であって、前記第２帳票部（３２）を前記開閉壁面（１１）側にして前記連続一体型帳票（３０）を収納することを特徴とする連続一体型帳票収納箱の使用方法である。
【００１４】
請求項５の発明は、薄い第１帳票部（３１）及び厚い第２帳票部（３２）が幅方向に並べられた単位帳票が供給方向に連接されている連続一体型帳票（３０）を、単位帳票ごとに折り重ねて折りブロック（３０Ｂ）とし、その折りブロック（３０Ｂ）を前記供給方向に凸状とする凸状形成部材（２０）に、前記折りブロックの前記第１帳票部側の最下面が支持されるように載置して収納する連続一体型帳票収納箱（１０）を帳票処理装置（４０）の給紙部（４１）にセットした後、その連続一体型帳票収納箱（１０）の前記幅方向における第２帳票部（３２）側の壁面を除去する連続一体型帳票の帳票処理装置へのセット方法である。
【００１５】
【発明の実施の形態】
以下、図面等を参照して、本発明の実施の形態について、さらに詳しく説明する。
図１は、本発明による連続一体型帳票収納箱の一実施形態を示す図であり、図１（Ａ）は斜視図、図１（Ｂ）は平面図である。
なお、前述した従来例と同様の機能を果たす部分には、同一の符号を付して、重複する説明を適宜省略する。
連続一体型帳票収納箱１０は、開閉壁１１を備え、また、スペーサ２０を収納する（図３参照）。
連続一体型帳票収納箱１０は、４つの側壁１１〜１４のうち、側壁１１が底辺１１ａで開閉自在となっている。また、本実施形態の連続一体型帳票収納箱１０は、さらに、側壁１４が底辺１４ａで開閉自在となっている。側壁１１の両脇部分には、ガイド部１１ｂが設けられており、これによって、開閉壁１１は、その位置の適正化が図られる。一方、開閉壁１１に対向する側壁１３は、側壁１２に糊止めされて固定されている。
連続一体型帳票収納箱１０は、連続一体型帳票３０を、１ｐｔ配送伝票部３２が開閉壁１１側に位置するように納めて輸送する（図３参照）。
【００１６】
連続一体型帳票３０は、上述の通り、商品明細書部３１と、１ｐｔ配送伝票部３２とを備える。商品明細書部３１は、箱詰め作業指示に使用される票部である。商品明細書部３１は、１枚のＮＩＰ用紙で形成されており、薄い。１ｐｔ配送伝票部３２は、箱詰め作業後に顧客への配送伝票として使用される票部である。１ｐｔ配送伝票部３２は、ＮＩＰ用紙にタック紙が貼り合わされたものであり、商品明細書部３１に比べて厚い。
【００１７】
スペーサ２０は、連続一体型帳票３０の折りブロック３０Ｂの中央付近を盛り上げる部材である（図３参照）。スペーサ２０は、コスト等を考慮すると、段ボールが最も好適であるが、ボール紙、プラスチック、ゴム、竹、エアクッション、その他、折りブロック３０Ｂの重量に耐えうる強度を有するものであれば、いかなる材料で作製してもよい。
スペーサ２０は、断面三角形の第１凸部２０ａ及び第２凸部２０ｂを有する。第１凸部２０ａは、開閉壁１１側に設けられており、第２凸部２０ｂは、側壁１３側に設けられている。この第１凸部２０ａ及び第２凸部２０ｂにより、折りブロック３０Ｂの重量を２カ所に分散して受けることができるため、折りブロック３０Ｂの重量があっても潰れにくい。
また、第１凸部２０ａは、第２凸部２０ｂに比べて、高い。このように、２つの凸部２０ａ，２０ｂの高さが異なるので、折りブロック３０Ｂを山状に盛り上げることができるため、残量にかかわらず、折りミシン目３３で割れ等を生ずることなく、連続一体型帳票３０をフィードすることができる。
【００１８】
図２は、本発明によるスペーサの一実施形態を示す図であり、図２（Ａ）は展開図、図２（Ｂ）〜（Ｄ）は作製方法を示す。
スペーサ２０は、展開状態では、図２（Ａ）に示すように、２つの舌状片２１，２２と、その舌状片２１，２２を挿入するための挿入孔２３を備え、また、６本の折り畳み予定線２４〜２９を有する。
【００１９】
スペーサ２０は、以下のように作製する。
まず、折り畳み予定線２４〜２９で折り畳む（図２（Ｂ））。
次に、２つの舌状片２１，２２を挿入孔２３に挿入し、貫通した舌状片２１，２２をテープ止めして固定し（図２（Ｃ））、完成する（図２（Ｄ））。
【００２０】
（使用方法）
図３は、本発明による連続一体型帳票収納箱の使用方法を示す図である。
作業者は、連続一体型帳票３０の折りブロック３０Ｂが入った連続一体型帳票収納箱１０を輸送し（図３（Ａ））、給紙部４１にセットする。このとき、折りブロック３０Ｂが連続一体型帳票収納箱１０内で矢印Ａのように移動し、側壁１１に当たり、折れ曲がり歪みを生じていることが多い（図３（Ｂ））。
そこで、作業者は、側壁１１を倒して開き、折りブロック３０Ｂの歪みを除いて、連続一体型帳票３０を印字ドラム４２に通紙する（図３（Ｃ））。
これにより、連続一体型帳票３０が側壁１１に擦れることを防止でき、スムーズにフィードすることができる。
【００２１】
本実施形態によれば、連続一体型帳票収納箱１０の１つの側壁１１が開閉自在であるので、連続一体型帳票３０が側壁１１に擦れることを防止することができ、スムーズにフィード可能である。
また、連続一体型帳票３０を収納箱から取り出す必要もないので、作業しやすい。
さらに、スペーサ２０は、２つの凸部を有するので、折りブロック３０Ｂの重量を分散して受けることができ、潰れにくい。
さらにまた、スペーサ２０の２つの凸部は、高さが異なるので、折りブロック３０Ｂを山状に盛り上げることができるため、残量にかかわらず、折りミシン目３３で割れ等を生ずることなく、連続一体型帳票３０をフィードすることができる。
【００２２】
（変形形態）
以上説明した実施形態に限定されることなく、種々の変形や変更が可能であって、それらも本発明の均等の範囲内である。
例えば、上記実施形態では、帳票処理装置としてプリンタを一例に挙げて説明したが、他の装置にも好適に使用することができる。
また、スペーサは、断面三角形状に限られず、半円状等であってもよい。
【００２３】
【発明の効果】
以上詳しく説明したように、本発明によれば、開閉自在な開閉壁面を備えるので、連続一体型帳票の側壁への擦れを防止でき、スムーズにフィード可能である。
【００２４】
本発明によれば、凸状形成部材は、２つの凸部を有するので、折りブロックの重量を分散して受けることができ、潰れにくい。
【００２５】
本発明によれば、第１凸部は、第２凸部よりも高いので、折りブロックを山状に盛り上げることができるため、残量にかかわらず、折りミシン目で割れ等を生ずることがなく、連続一体型帳票をフィードすることができる。
【００２６】
本発明によれば、開閉壁面は、ガイド部を備えるので、適正な位置に配置される。
【００２７】
本発明によれば、第２帳票部を開閉壁面側にして連続一体型帳票を収納するので、連続一体型帳票がズレ落ちても、スムーズにフィード可能である。
【００２８】
本発明によれば、連続一体型帳票を収納する連続一体型帳票収納箱を給紙部にセットした後、その連続一体型帳票収納箱の第２帳票部側の壁面を除去するので、断紙や重送等を生じさせることなく、スムーズにフィードすることができ、作業しやすい。
【図面の簡単な説明】
【図１】本発明による連続一体型帳票収納箱の一実施形態を示す図である。
【図２】本発明によるスペーサの一実施形態を示す図である。
【図３】本発明による連続一体型帳票収納箱の使用方法を示す図である。
【図４】一般的な連続一体型帳票の帳票処理装置を示す図である。
【図５】連続一体型帳票のフィード時の問題点を示す図である。
【図６】連続一体型帳票のフィード時の問題点の対策を示す図である。
【図７】連続一体型帳票のフィード時の他の問題点を示す図である。
【符号の説明】
１０  連続一体型帳票収納箱
１１  開閉壁
２０  スペーサ
２０ａ  第１凸部
２０ｂ  第２凸部
３０  連続一体型帳票
３０Ｂ  折りブロック
３１  商品明細書部
３２  １ｐｔ配送伝票部
【図１】
0004324315.tif 000002
【図２】
0004324315.tif 000003
【図３】
0004324315.tif 000004
【図４】
0004324315.tif 000005
【図５】
0004324315.tif 000006
【図６】
0004324315.tif 000007
【図７】
0004324315.tif 000008